(57)【要約】【課題】  人形を構成している各部位をその人形のイメージに基づき所望の姿勢に維持する。【解決手段】  頭部１１と、胴部１２と、腕部１３と、脚部１４を有する人形と、当該人形が乗る支え部１５と、これらを互いに連結すると共に脚部を支え部に連結する紐状の連結具１６と、支え部の取付け台１７とを備え、支え部は波乗り板状の板体からなり、かつ当該支え部には連結具を通す第１の孔１５ａと第２の孔１５ｂが形成され、頭部の腔部に連結具の一端が固定され、連結具の他端が肩部と胴部のほぼ中央部を通り、該胴部から左右の脚部に分かれ、板体の各孔を通り抜けた後に板体の側方を介して再び同一方向から板体の各孔を通り抜け、板体に備わった取付け台に係止されると共に取付け台と板体とを保持して人形が所望の姿態を維持するのを助けるバランス手段１８を備えている。【選択図】  図１
2005270367.tif 000002
【特許請求の範囲】
【請求項１】
頭部と、胴部と、腕部と、脚部を有する人形と、当該人形が乗る支え部と、前記頭部、胴部、腕部、脚部を互いに連結すると共に前記脚部を前記支え部に連結する紐状の連結手段と、前記人形及び支え部の取付け台とを備えた人形において、
前記支え部は波乗り板状の板体からなり、当該支え部には前記連結手段を通す第１の孔と第２の孔が前記脚部に対応する位置に形成され、前記頭部には腔部が形成されると共に、
当該腔部に前記連結手段の一端が固定され、前記連結手段の他端が前記肩部と胴部のほぼ中央部を通り、該胴部から左右の脚部に分かれ、前記板体の第１の孔と第２の孔を通り抜けた後に前記板体の縁部を経て、前記板体の第１の孔と第２の孔を再び同一方向から通り抜け、前記板体に備わった取付け台に係止されることで、エンドレスのループ状連結手段を構成するようになっており、
かつ前記人形には前記板体を前記取付け台に対して所定の間隔を隔てて保持すると共に、当該人形が所望の姿態を維持するのを助けるバランス手段が更に備わったことを特徴とする十大波乗り人形。
【発明の詳細な説明】
【技術分野】
【０００１】
本発明の十大波乗り人形（以下、「本発明人形」とする。）は、自然の恵みを素材にした人形に関するものである。
【背景技術】
【０００２】
これまで一般的に知られた人形には、第一の形態として、図２に示すような和歌山や千葉の郷土玩具に見られる両刀使い人形（例えば、非特許文献１参照）や、図３に示すようなからくり人形（例えば、非特許文献２参照）のようなその素材として自然の恵み、例えば木切れや竹等を予め決めた形状に加工して作ったものや、第二の形態として、図４に示すような竹製人形（例えば、特許文献１参照）などがある。
【０００３】
図２に示す両刀使い人形は、弁慶人形、義士人形とも言われ、胴体の下部に垂れ下がっているひもを引っ張るだけで両手が動く構造となっている。それ故、カラクリ人形として子どもに人気があり、人形の衣装や手に持つ物を工夫すれば「交通整理のお巡りさん」、「手旗信号士」、「踊る人」、「ボクサー」、「ドラマー」など楽しい玩具にもなる。
【０００４】
また、図３に示すからくり人形は、人形の本体に垂れ下がっている紐をテコ棒に引っ掛け、このテコ棒を上下に運動させると、この紐が緩んだり張ったりして、所謂酔っぱらいのような仕草をするので大変滑稽である。
さらに、図４に示す竹製人形は、肉厚のある孟宗竹を素材に使い、その円周表面の円弧面を加工して胴部、腕部、脚部等の構成部材を作り、それにより人形を完成させている。
【０００５】
ところが、これらの人形を、玩具あるいは置物として眺めた場合、それぞれ自然の素材を生かして製作しているので、素朴さや温かさなどは感じられるが、人形を構成している頭部、胴部、腕部、脚部、及び首や各関節、人形の芯体などをなす姿態形成手段に関して、人形を展示する者や人形を眺める者のイメージで人形の姿勢が変えられるような工夫がなされていない。
【０００６】
そのために、人と自然とのふれあいや人と自然との共生などを追求して人形を全体的に観察したとき、人形を所望の姿態に変えることで自然の素材そのものから滲み出るであろう感動そのものを十分にアピールすることが難しいと言う欠点がある。
【０００７】
【特許文献１】特開平６−３１２０６３（２〜３頁、図１）
【非特許文献１】芸術教育研究所編、伝承遊び事典、１２８頁、１９８５年１２月２０日初版発行
【非特許文献２】うえの・よしお著、手づくりのおもちゃ入門１２３頁、昭和５０年２月２５日発行、株式会社東京書店
【発明の開示】
【発明が解決しようとする課題】
【０００８】
その改善策として、図２に示す両刀使い人形２０においては、その構成部材である頭部２１、胴部２２、腕部２３、及び例えば、たこ糸などの姿態形成手段２５に対して、人形を展示する者や人形を眺める者が所望のイメージに基づき人形の姿態を自由に変えることができるようにするための姿態調整機構が必要となる。
【０００９】
また、図３に示すからくり人形３０でも、両刀使い人形２０と同じくその構成部材である頭部３１、胴部３２、腕部３３、脚部３４、姿態形成手段３５に対して、それぞれ所望の形態に自由に変えることができるようにする姿態調整機構が必要となる。
【００１０】
一方、図４に示す竹製人形４０の場合、初めから基本の姿態が決まっており固定した概念でしか楽しめない。そのため人形を構成している頭部４１、胴部４２、腕部４３、脚部４４ に対して、それぞれ所望のイメージに基づき、人形の姿態を変えることができない。このように、人形の姿態に関してこれを所望の姿態に変えるとともにその姿態を維持する姿態調整機構の必要性がこれまで訴えられていた。
【００１１】
本発明は、人形の姿態をその人形を展示する者や眺める者の所望の姿態になるように自由に変化させて形成できるようにし、これによって、その姿態の変化から表現されるイメージにより肌に温もりを感じさせること、例えば、自然の素材である竹の特質により里山を思い起こさせること、その姿態の特徴から海を思い起こさせること、また温かさを感じさせることができるようにするとともに、これらが重畳し、世代を超えてわれわれに感動と将来への夢を育ませてくれる人形を安価に提供することを目的とする。
【課題を解決するための手段】
【００１２】
本発明にかかる十大波乗り人形は、
頭部と、胴部と、腕部と、脚部を有する人形と、当該人形が乗る支え部と、前記頭部、胴部、腕部、脚部を互いに連結すると共に前記脚部を前記支え部に連結する紐状の連結手段と、前記人形及び支え部の取付け台とを備えた人形において、
前記支え部は波乗り板状の板体からなり、当該支え部には前記連結手段を通す第１の孔と第２の孔が前記脚部に対応する位置に形成され、前記頭部には腔部が形成されると共に、
当該腔部に前記連結手段の一端が固定され、前記連結手段の他端が前記肩部と胴部のほぼ中央部を通り、該胴部から左右の脚部に分かれ、前記板体の第１の孔と第２の孔を通り抜けた後に前記板体の縁部を経て、前記板体の第１の孔と第２の孔を再び同一方向から通り抜け、前記板体に備わった取付け台に係止されることで、エンドレスのループ状連結手段を構成するようになっており、
かつ前記人形には前記板体を前記取付け台に対して所定間隔隔てて保持すると共に、当該人形を所望の姿態となるごとく調整するバランス手段が更に備わったことを特徴とする。
【００１３】
本発明人形においては、従来の図２に示す両刀使い人形、図３に示すからくり人形、図４に示す竹製人形などが備えていない姿態調整機構を人形に持たせるようにしている。
【００１４】
すなわち、人形を展示する者や人形を眺める者の所望の姿態を作り上げるための姿態調整機構を、本発明人形を構成している頭部、胴部、腕部、脚部、連結手段やバランス手段が協働して形成しているので、人形の外観形状を楽しむ人の望みや好みによってその人形の姿態を変えると共にその姿態を維持できる。
【発明の効果】
【００１５】
本発明人形は、所望の姿態を作り上げるための姿態調整機構を、この人形を構成する頭部、胴部、腕部、脚部、連結手段やバランス手段が協働して形成しているので、人形の外観形状を楽しむ人の望みや好みによってその人形の姿態を簡単に変えると共にその姿態を維持することができる。
【００１６】
そして、このような状態を有することで、例えば、湘南地域のサザンビーチ名産物などの観光土産としての素質を十二分に備えることができ、また玩具、置物、人形として、さらに世代を超えたふれあいの道具として、さらに人生を送る上で計り知れないやすらぎ感や極楽感を与えてくれる道具にもなるという利点がある。
【００１７】
また、情緒を安定させる道具、欲求不満を解消させる道具、集中力や持続力をもたらす道具、知的能力を伸ばす道具、知識を獲得するための道具としての機能を持つという利点もある。
【発明を実施するための最良の形態】
【００１８】
以下、本発明人形（以下、「波乗り人形」ともいう）の具体的な構成について、図１に基づいて詳細に説明する。
【００１９】
本発明人形１０は、図１に示すように、頭部１１と、胴部１２と、腕部１３と、脚部１４を備え、かつ本発明人形１０が乗る支え部１５と、頭部１１、胴部１２、腕部１３、脚部１４を互いに連結すると共に脚部１４を支え部１５に連結する紐状の連結具１６と、これらを取り付ける取付け台１７とを備えている。
【００２０】
また、支え部１５は本図面では模式的に描く波乗り板状の板体（以下、「波乗り板１５」とする）からなり、かつ当該波乗り板１５には連結具１６を通す第１の孔１５ａと第２の孔１５ｂが波乗り板１５の上下面を貫通するように穿設されている。また、頭部１１には腔部１１ａが形成され、当該腔部１１ａに連結具１６の一端が固定され、連結具１６の他端が肩部１２Ａと胴部１２のほぼ中央部を通り、該胴部１２から左右の脚部１４に分かれ、波乗り板１５の第１の孔１５ａと第２の孔１５ｂを通り抜けた後に波乗り板１５の側縁を経て波乗り板１５の第１の孔１５ａと第２の孔１５ｂを再び同一方向から通り抜け、波乗り板１５と離間した取付け台１７の連結具結び棒１７ａに結び付けることで、エンドレスのループ状連結手段を構成している。
【００２１】
本発明人形１０は、取付け台１７と波乗り板１５とを所望の間隔を保ったまま本発明人形１０を保持し、かつ本発明人形１０を所望の姿態となるごとく調整するバランス手段としての役割を果す調整ばね部材１８を更に備えている。
【００２２】
本発明人形１０について、以上の構成を機能別に大きく分けると、（ａ）頭部１１、胴部１２、腕部１３、脚部１４からなる人形本体、（ｂ）波乗り板１５からなる人形支え部、（ｃ）連結具１６並びに姿態形成用関節部材からなる姿態形成部、（ｄ）取付け台１７、支柱１７ｂ、連結具結び棒１７ａからなる取付け部、（ｅ）調整バネ部材１８からなる姿態維持部、の５つの機能的部分から構成されている。
【００２３】
また、これら各構成要素の素材としては、人形本体については頭部として椎の実やその他として細い竹（例えば、篠竹）を用いている。また、姿態形成用関節部分としては蛇腹付きストローのようなものが用いられる。また、連結具としては、たこ糸や釣り糸が用いられる。また、波乗り板１５では孟宗竹を加工したものやプラスチック板、木板などが用いられる。また、取付け台１７には、連結具の結び棒１７ａとして竹ひごなどが用いられ、支柱１７ｂとして竹を長手方向に輪切りに加工したものが用いられ、取付け台１７の基板として木板や孟宗竹の円周表面の円弧面を加工したものが用いられている。また、調整バネ部材１８には節の長い真竹を割って加工したものやピアノ線などが用いられる。
【００２４】
なお、本発明では、姿態形成部材としての役目を果す連結具１６と調整バネ部材１８及び以下に説明する姿態形成用関節部分を総称して姿態調整機構という。
【００２５】
上述の通り、本発明人形１０を構成している頭部１１、胴部１２における肩１２Ａの左右端部、腕部１３の左右関節１３ａ，１３ｂ、脚部１４の左右膝１４ａａ，１４ａｂには、本発明人形から波乗り中の人形を連想させる所望の姿態を形成するとともに、その形成した姿態を維持する部材（以下、「姿態形成用関節部材」とする）が設けられている。
【００２６】
この姿態形成用関節部材について、以下、構成部材ごとに詳細に説明する。まず、頭部１１の姿態形成用関節部材について説明する。
【００２７】
ここでは、姿態形成用関節部材として蛇腹付きストローを使用し、その一方を頭部１１の腔１１ａに埋め込み接着剤で固定し、他方は肩部１２Ａの中央上部に設けられている孔に挿入し、接着剤で固定する。ここで、蛇腹は、首機構の関節に相当し、頭部１１を肩部１２Ａに対して前後左右に曲げられる構造となっている。
【００２８】
なお、姿態形成用関節部材として蛇腹付きストローの代わりに、ここでは図示しないが、基本的な姿態を形成する手段として使用する連結具１６の例えば一対のたこ糸の先端部にダンゴ状のコブを作り、これを腔１１ａに埋め込み接着剤で固定するだけの簡易な構成の姿態形成用関節部材としても良い。この構造によると特別な姿態を形成してそれを維持できる人形を最も安価に作ることができる。
【００２９】
次に、胴部１２の左右肩部１２ａａ，１２ａｂの姿態形成用関節部材について説明する。なお、ここでは、肩部１２Ａの素材に篠竹を使用している。
【００３０】
一例としては、篠竹の内層面に例えば弾性ゴムのような弾性部材（以下、「ゴム形ストッパ部材」とする。）を張り付ける。このような構造にすることにより、胴部１２の左右肩部１２ａａ，１２ａｂで腕部１３をしっかりと包み込むことができ、これによって本発明人形１０の腕部１３を所望の向きに保持することができ、篠竹だけの構成に比べて機能的な面で向上させる。
【００３１】
一方、弾性部材を篠竹の内層面に張り付ける代わりに、ここでは図示しないが、ストッパ付きギア（以下、「ギア式ストッパ部材」とする）を、左右肩部１２ａａ，１２ａｂの端部に設けても良い。
【００３２】
この場合、腕部１３を時計方向に回すと、所定の角度ごとにギア式ストッパのストッパとギアとが間欠的に係止してその姿態を維持する構造となっている。
【００３３】
なお、腕部１３の左右関節１３ａ，１３ｂにおける姿態形成用関節部材については、上述した胴部１２の左右肩部１２ａａ，１２ａｂと同じ構造のものを利用すれば良い。
【００３４】
次に、脚部１４の姿態形成用関節部材について説明する。
【００３５】
まず、人形の脚（足の長さ）に相当する長さの「細い針金」と、連結具１６としての「たこ糸」とを準備する。この場合、「細い針金」の両端を折り曲げて、釣り針に似たような形状とする。また、たこ糸には、予め、本発明人形１０の頭部１１、胴部１２を介して脚部１４に到達する場所、つまり足の長さに相当する場所に２つの輪ＷＡ，ＷＢ（ここでは図示せず）を作っておく。
【００３６】
つぎに、この細い針金にたこ糸を沿わせ、細い針金の釣り針に相当する先端の部分をこのたこ糸の２つの輪ＷＡ，ＷＢにそれぞれ掛止させ、細い針金がずれない程度にその先端の部分を曲げ、そのままの状態で脚部１４に挿入する。
【００３７】
ここで、「細い針金」を使用したのは、細い針金であれば十分な可撓性と強度を有するので、膝部１４ａａ，１４ａｂにおいて角度を持たせて姿勢を整えることができると共にこの姿勢を維持できることに着眼したためである。なお、膝部１４ａａ，１４ａｂに蛇腹付きストローやゴム型ストッパ部材、又はギア式ストッパ部材を使っても良い。
【００３８】
なお、連結具１６としてのたこ糸の他端部は取付け台１７の連結具結び棒１７ａにおいて連結し、一端部は頭部１１において連結しているので、ループ状をなして本発明人形１０から外れることがない。また、波乗り板１５の孔部１５ａ、１５ｂに一旦挿通された後、この波乗り板１５の側縁を介して再び孔部１５ａ、１５ｂに同一方向から挿通されているので、連結具１６が全体的に所定の張力で張られて緩むことがなく、これによって脚部１４が波乗り板１５に所望の角度でしっかりと固定され、本発明人形１０の下半身の安定感を醸し出すことができる。
【００３９】
また、バランス手段としての調整ばね部材１８によって、波乗り板１５が取付け台１７から離れて浮いた状態で支持されている。これによって、波乗り板１５の前方は若干下に傾けると共に本発明人形１０を前屈みの姿態とすることで、あたかも波のフェースを滑り降りているようなスピード感を見る者に与えることができる。
【００４０】
また、波乗り板１５の前方を若干上に向けるとともに、本発明人形１０の上半身を僅かにのけ反ったような姿態とすることで、あたかも波のフェースを駆け上がっているような浮遊感を見る者に与えることができる。
【００４１】
このように、バランス手段としての調整ばね１８を備えることで、従来の人形にはない例えば波乗り中のサーファーの様々なアクションを連想させるような姿態に本発明人形を保つことができる。
【００４２】
以上、説明したように、本発明人形１０は、上述の姿態維持部材を介して、頭部１１、胴部１２、腕部１３、脚部１４が一定の姿態を形成することに加えて、上半身と下半身がバランス手段としての調整ばね部材１８によって自由な姿勢を維持できるようになっている。そのため、例えば図１に示すような姿態とすることで下半身の安定感と上半身の身軽さを見る者にアピールすることができる。その結果、従来の人形とは異なる躍動感や活発さを伴うイメージを見る者に与え、本発明人形を展示する者にとっても本発明人形の商品価値を高めることができる。
【産業上の利用可能性】
【００４３】
以上、説明したように、本発明人形は、例えば、湘南地域のサザンビーチ名産物などの観光土産としての素質を十二分に有しており、玩具や置物あるいは人形として、さらに世代を超えたふれあいの道具として、さらにまた人生を送る上で計り知れないやすらぎや極楽感を与えてくれる道具としても利用できる。
【００４４】
また、情緒を安定させる道具、欲求不満を解消させる道具、集中力や持続力をもたらす道具、考える力を育成する道具、知的能力を伸ばす道具、知識を獲得するための道具としての機能を持つので、これらの道具としても利用できる。
【００４５】
さらに、不登校の児童に安らぎを与え学校へ復帰させる媒体、あるいは虐めの子どもを減少させる媒体としも十分期待できる。
【図面の簡単な説明】
【００４６】
【図１】本発明の一実施形態にかかる十大波乗り人形の外観を示した斜視図である。
【図２】従来から知られる両刀使い人形の外観を示した斜視図である。
【図３】従来から知られるからくり人形の外観を示した斜視図である。
【図４】従来から知られる竹製人形の外観を示した斜視図である。
【符号の説明】
【００４７】
１０    本発明人形
１１    頭部
１１ａ    腔部
１２    胴部
１２Ａ    肩部
１２ａａ，１２ａｂ    肩部
１３    腕部
１３ａ，１３ｂ    関節
１４    脚部
１４ａ，１４ｂ    膝部
１５    波乗り板
１５ａ    第１の孔
１５ｂ    第２の孔
１６    連結具
１７    取付け台
１７ａ    連結具結び棒
１７ｂ    支柱
１８    調整バネ部材
２０    両刀使い人形
２１    頭部
２２    胴部
２３    腕部
２５    姿態形成手段
３０    からくり人形
３１    頭部
３２    胴部
３３    腕部
３４    脚部
３５    姿態形成手段
４０    竹製人形
４１    頭部
４２    胴部
４３    腕部
４４    脚部
【図１】
2005270367.tif 000003
【図２】
2005270367.tif 000004
【図３】
2005270367.tif 000005
【図４】
2005270367.tif 000006